(57)【要約】【課題】建築物の躯体コンクリートの外側に配置される外装材を支持する結合筋であって、例え外装体がコンクリート薄板であっても、十分な定着長が得られる外装材支持用結合筋及び建築物外装構造体を提供すること。【解決手段】建築物の躯体コンクリート１４の外側に配置される外装材１６を支持する結合筋１０ａであって、躯体コンクリート１４に埋没する第１定着部１１ａ、１１ｂと、外装材１６に埋没する第２定着部１２と、第１定着部１１ａ、１１ｂと第２定着部１２を連接する連接部１３ａ、１３ｂからなり、第１定着部及び第２定着部のうち、少なくともいずれか一方の定着部形状が、棒材を屈曲させて得られるα字形状である。【選択図】      図２
2004211501.tif 000002
【特許請求の範囲】
【請求項１】
建築物の躯体コンクリートの外側に配置される外装材を支持する結合筋であって、該躯体コンクリートに埋没する第１定着部と、該外装材に埋没する第２定着部と、該第１定着部と第２定着部を連接する連接部からなり、該２つの定着部のうち、少なくともいずれか一方の定着部形状が、棒材を屈曲させて得られるα字形状であることを特徴とする建築物の外装材支持用結合筋。
【請求項２】
棒材を屈曲させて得られるものであって、全体形状が略Ｉ字形状、略Ｖ字形状、略Ｗ字形状又は当該略Ｖ字形状を繰り返した略鋸刃形状であることを特徴とする請求項１記載の建築物の外装材支持用結合筋。
【請求項３】
前記連接部は、該躯体コンクリートと該外装材間に付設される断熱材に埋設されることを特徴とする請求項１又は２記載の建築物の外装材支持用結合筋。
【請求項４】
前記第１定着部又は第２定着部のα字形状に貫通する補助アンカー筋と組み合わせて用いることを特徴とする請求項１〜３のいずれか１項記載の建築物の外装材支持用結合筋。
【請求項５】
建築物の躯体コンクリートと、該躯体コンクリートの外側に付設される断熱材と、該断熱材の外側に付設される外装材と、請求項１〜４のいずれか１項記載の建築物の外装材支持用結合筋を有することを特徴とする建築物の外装構造体。
【発明の詳細な説明】
【０００１】
【発明の属する技術分野】
本発明は、建築物の躯体コンクリートの外側に配置される外装材を支持する結合筋及び建築物の外装構造体に関するものである。
【０００２】
【従来の技術】
従来、建築物の躯体コンクリートの外側に配置される外装材を支持する結合筋として、鉄筋アンカーボルトや頭付きアンカーボルト等が用いられてきた。これらは躯体コンクリート面に対して垂直に埋め込まれるものである。
【０００３】
また、特許文献１の特開２００２−２８５６７６号公報には、外断熱を考慮した断熱ＰＣコンクリート板において、内板となるプレキャストコンクリート板の外側に配置される外板プレキャストコンクリート板を支持する結合筋として、山形筋（トラス筋）が開示されている。この結合筋はプレキャストコンクリート板の鉛直方向及び水平方向に分散配置されるものである。また、建築物の躯体コンクリートの外側に配置される外装材を、鉛直方向に延出するように付設されたトラス筋で吊り下げ状に取り付ける方法も検討されている。
【０００４】
このような従来の方法で使用されるトラス筋のアンカー（以下、定着部ともいう）の形状としては、図７に示すようなＵ字形状（Ａ）、Ｌ字形状（Ｂ）、逆Ｙ字形状（Ｃ）、逆Ｔ字形状（Ｄ）及び拡径Ｉ字形状（Ｅ）などがある。また、アンカー部を含めた棒材の断面形状としては、円形断面、異形断面及び角形断面などがある。
【０００５】
【特許文献１】
特開２００２−２８５６７６号（請求項１）
【０００６】
【発明が解決しようとする課題】
しかしながら、結合筋として鉄筋アンカーボルトや頭付きアンカーボルト等を用いる場合、曲げ耐力により外装材を支持するため、本数が増えるか、あるいは断面が太くなりアンカーからの熱損失が大きくなるという問題がある。一方、結合筋としてトラス筋を用いる場合、外装体を躯体コンクリートの壁面に対して斜め方向に支持するため、アンカーとしての定着が不安定となったり、コンクリートの界面剥離を起こすという問題がある。具体的には、図８に示すように薄肉板８３に対してアンカーを下に向ける、すなわち図８中、アンカー部の斜め筋８１の第１屈曲点８２の曲がり方向が下方に向いているものは、アンカーの定着長さが短くなるため、強固な定着ができない。また、トラスを連続体とすることもできない。逆に図９に示すようにアンカーを上に向ける、すなわち図９中、アンカー部の斜め筋８１の第１屈曲点８２の曲がり方向が上方に向いているものは、斜め筋方向におけるアンカーの定着長さは深くなるため、強固な定着ができる。しかし、斜め筋８１に沿った引張り力ａが作用すると、上方ｂへの力が発生するためコンクリートの表面が破壊され易くなる。また、図９の一番左に記載されたアンカーがＶ字形状の連続体の場合、結合筋の全体長さが長くなり、小さなスペースでは使用し難いという問題がある。また、外断熱を考慮した断熱ＰＣコンクリート板の場合、内板及び外板となるＰＣコンクリート板の板厚は、通常４０〜２００ｍｍと薄く、十分な埋め込み深さを確保し難いという問題がある。
【０００７】
従って、本発明の目的は、建築物の躯体コンクリートの外側に配置される外装材を支持する結合筋であって、例え外装体がコンクリート薄板であっても、十分な耐力が得られ、定着安定性に優れる建築物の外装材支持用結合筋及びこれを用いた建築物の外装構造体を提供することにある。
【０００８】
【課題を解決するための手段】
かかる実情において、本発明者らは鋭意検討を行った結果、アンカーの形状、すなわち、定着部の形状を棒材を屈曲させて得られるα字形状とすれば、外装体を結合筋で支持する際、例え外装体がコンクリート薄板であっても、十分な耐力が得られ、定着安定性やトラスの連続性に優れることなどを見出し、本発明を完成するに至った。
【０００９】
すなわち、本発明（１）は、建築物の躯体コンクリートの外側に配置される外装材を支持する結合筋であって、該躯体コンクリートに埋没する第１定着部と、該外装材に埋没する第２定着部と、該第１定着部と第２定着部を連接する連接部からなり、該２つの定着部のうち、少なくともいずれか一方の定着部形状が、棒材を屈曲させて得られるα字形状であることを特徴とする建築物の外装材支持用結合筋を提供するものである。本発明の外装材支持用結合筋は、棒材に対し曲げ加工を施すことにより簡易に得ることができる。また、躯体コンクリートの壁面に対して、外装体を斜め方向に支持するように結合筋を配置する場合、例え外装体がコンクリート薄板であっても、十分な耐力が得られ、定着安定性やトラスの連続性に優れる。
【００１０】
また、本発明（２）は、建築物の躯体コンクリートと、該躯体コンクリートの外側に付設される断熱材と、該断熱材の外側に付設される外装材と、請求項１〜４のいずれか１項記載の建築物の外装材支持用結合筋を有する建築物の外装構造体を提供するものである。本発明の外装構造体によれば、躯体コンクリートと外装材が簡易な構造の外装材支持用結合筋により安定して固定されるため、構造強度に優れたものとなる。
【００１１】
【発明の実施の形態】
本発明の建築物の外装材支持用結合筋（以下、単に「外装材支持用結合筋」とも言う）において、建築物の躯体コンクリートの外側に配置される外装材としては、特に制限されないが、通常コンクリート材である。このうち、該コンクリート材が、厚み４０〜２００ｍｍの薄板であっても、当該結合筋の耐力が十分に採れるため、特に本発明の効果が顕著に表れる。また、外装材支持用結合筋は、該躯体コンクリートに埋没する第１定着部と、該外装材に埋没する第２定着部と、該第１定着部と第２定着部を連接する連接部からなり、該２つの定着部のうち、少なくともいずれか一方の定着部形状が、棒材を屈曲させて得られるα字形状である。従って、外装材支持用結合筋の全体形状としては、使用状態にある該結合筋を側面視且つ時計回り又は半時計回りに９０度回転した位置で略Ｉ字形状、略Ｖ字形状、略Ｗ字形状又は当該略Ｖ字形状を繰り返した略鋸刃形状である。また、連接部は、通常該躯体コンクリートと該外装材間に付設される断熱材に埋設されている。
【００１２】
本発明において、全体形状が略Ｉ字形状の外装材支持用結合筋としては、例えば図１に示す結合筋が挙げられる。図１は該外装材支持用結合筋の使用状態における概略図である。外装材支持用結合筋１０はα字形状の第１定着部１１と、α字形状の第２定着部１２と、第１定着部１１と第２定着部１２を連接する直筋の連接部１３からなる。なお、符号１４は内板とも称される建築物の躯体コンクリート板であり、符号１５は断熱材であり、符号１６は外装材であるコンクリート板である。図１中、第１定着部１１がα字形状であれば第２定着部は例えばＵ字形状、Ｌ字形状、逆Ｙ字形状などであってもよく、逆に、第２定着部１２がα字形状であれば第１定着部は例えばＵ字形状、Ｌ字形状、逆Ｙ字形状などであってもよい。外装材支持用結合筋１０は、棒材を屈曲させるという簡易な方法で得ることができる。また、躯体コンクリート１４及び外装材１６がコンクリート薄板であっても、十分な耐力が得られ、定着安定性に優れる。
【００１３】
本発明において、全体形状が略Ｖ字形状の外装材支持用結合筋としては、例えば図２に示す結合筋が挙げられる。図２は該外装材支持用結合筋の使用状態における概略図である。図２において、図１と同一構成要素には同一符号を付してその説明を省略し、異なる点について主に説明する。外装材支持用結合筋１０ａはα字形状の２つの第１定着部１１ａ、１１ｂと、α字形状の第２定着部１２と、一方の第１定着部１１ａと第２定着部１２を連接する斜め筋である第１連接部１３ａと、他方の第１定着部１１ｂと第２定着部１２を連接する斜め筋である連接部１３ｂからなる棒材を曲げ加工して得られる一体物である。外装材支持用結合筋１０ａにおいて、端部のα字形状としては、図２に示す形態に限定されず、例えば図２の第１定着部１１ｂであれば、図３（Ａ）、（Ｂ）に示すような略ドーナツ状のものであってもよい。また、第１定着部１１ａ、１１ｂがα字形状であれば第２定着部１２は例えばＵ字形状、Ｌ字形状、逆Ｙ字形状などであってもよく、逆に、図４に示すように第２定着部１２がα字形状であれば第１定着部１１ａ、１１ｂは例えばＵ字形状などであってもよい。外装材支持用結合筋１０ａによれば、例えば複数個の外装材支持用結合筋１０ａを鉛直方向に適宜の間隔で設置すれば、１つのトラス筋と同様の外装材支持安定性を得ることができる。また、躯体コンクリート１４及び外装材１６がコンクリート薄板であっても、十分な耐力が得られ、定着安定性に優れる。すなわち、図２の場合、第２定着部１２において、斜め筋である第１連接部１３ａ及び第２連接部１３ｂの第１屈曲点１８、１８の曲がり方向が向かい合っているため、該斜め筋に沿った引張り力ａが作用すると、第２定着部１２の底部１２１に掛かる力ｂは第２定着部１２の中心方向へ向くため耐力が安定するのである。また、図４では、第１定着部１１ａ、１１ｂのＵ字形状の配置方向に起因して、該斜め筋に沿った引張り力ａが図４中、矢印方向に作用する。この場合、第２定着部１２の底部１２１に掛かる力ｂは打ち消されることになる。
【００１４】
本発明において、全体形状が略Ｗ字形状の外装材支持用結合筋としては、例えば図５に示す結合筋が挙げられる。図５は該外装材支持用結合筋の使用状態における概略図である。図５において、図２と同一構成要素には同一符号を付してその説明を省略し、異なる点について主に説明する。外装材支持用結合筋１０ｂはα字形状の３つの第１定着部１１ａ、１１ｂ、１１ｃと、α字形状の２つの第２定着部１２ａ、１２ｂと、一方の第１定着部１１ａと一方の第２定着部１２ａを連接する斜め筋である第１連接部１３ａと、中間の第１定着部１１ｂと一方の第２定着部１２ａを連接する斜め筋である連接部１３ｂと、中間の第１定着部１１ｂと他方の第２定着部１２ｂを連接する斜め筋である第３連接部１３ｃと、他方の第１定着部１１ｃと他の第２定着部１２ｂを連接する斜め筋である連接部１３ｄからなる棒材を曲げ加工して得られる一体物である。外装材支持用結合筋１０ｂにおいて、第１定着部１１ａ、１１ｂ、１１ｃがα字形状であれば第２定着部１２ａ、１２ｂは例えばＵ字形状、Ｌ字形状、逆Ｙ字形状などであってもよく、逆に、図６に示すように第２定着部１２ａ、１２ｂがα字形状であれば第１定着部１１ｄ、１１ｅは例えばＵ字形状などであってもよい。外装材支持用結合筋１０ｂによれば、前記外装材支持用結合筋１０ａと同様の効果を奏する他、結合筋の全体長さが短くなり、小さなスペースでも使用できる。すなわち、図５の結合筋１０ｂは、該結合筋１０ｂと同じ長さの棒材を使用した従来例の図１０の結合筋１００と比較して、その全体長さを（Ｘ／Ｙ）約半分に低減することができる。また、本発明において、外装材支持用結合筋の全体形状としては、上記実施の形態例に限定されず、例えば当該略Ｖ字形状を繰り返した略鋸刃形状であってもよい。
【００１５】
本発明において、外装材支持用結合筋１０、１０ａ、１０ｂに使用される棒材としては、特に制限されず、例えば円形断面、異形断面及び角形断面の棒材を挙げることができる。図１１は異形断面の棒材を説明する図であり、図１１（Ｂ）は、図１１（Ａ）のＺ―Ｚ線で切断される断面図である。すなわち、異形断面の棒材１１１は、径ｄの丸棒に対し、凹部１１２を所定のピッチで多数設けると共に、一方の側面と他方の側面の凹部１１２を互い違いに設けたものである。
【００１６】
本発明において、外装材支持用結合筋は、第１定着部又は第２定着部のα字形状の少なくとも１つに貫通する補助アンカー筋と組み合わせて用いることができる。すなわち、図５にその一例を示すように、直筋である５本の補助アンカー筋１９を、α字形状の第１定着部１１ａ〜１１ｃ及び第２定着部１２ａ〜１２ｂの孔に貫通させて使用するものである。図５中、補助アンカー筋１９は紙面に対して前後方向、実際の使用形態において左右方向に延出している。第１定着部又は第２定着部のα字形状と補助アンカー筋は接合又は非接合のいずれであってもよい。補助アンカー筋１９はα字形状の定着部の全てに組み合わせて使用する以外に、適宜選定されたα字形状の定着部に嵌合するものであってもよい。
【００１７】
本発明の外装材支持用結合筋は、建築物の躯体コンクリートの外側に配置される外装材を支持する用途に使用されるものであれば、特に制限されない。従って、該外装材支持用結合筋を用いた建築物外装構造体としては、例えば外装材となるプレキャストコンクリート板、通気層を有していてもよい断熱材及び躯体コンクリートとなるプレキャストコンクリート板をこの順序で積層してなる断熱ＰＣコンクリート板が挙げられる。この断熱ＰＣコンクリート板は通常、工場で作製された後、現場に搬入し、設置されるものである。
【００１８】
【発明の効果】
本発明の建築物の外装材支持用結合筋は、棒材に対し曲げ加工を施すことにより簡易に得ることができる。また、躯体コンクリートの壁面に対して、外装体を斜め方向に支持するように結合筋を配置する場合、例え外装体がコンクリート薄板であっても、十分な定着長が得られ、定着安定性に優れる。
また、本発明の建築物の外装構造体は、躯体コンクリートと外装材が簡易な構造の外装材支持用結合筋により安定して固定されるため、構造強度に優れたものとなる。
【図面の簡単な説明】
【図１】本発明の実施の形態の外装材支持用結合筋の使用状態における概略図である。
【図２】本発明の他の実施の形態の外装材支持用結合筋の使用状態における概略図である。
【図３】外装材支持用結合筋の端部における定着部の形状例を示す図である。
【図４】本発明の他の実施の形態の外装材支持用結合筋の使用状態における概略図である。
【図５】本発明の他の実施の形態の外装材支持用結合筋の使用状態における概略図である。
【図６】本発明の他の実施の形態の外装材支持用結合筋の使用状態における概略図である。
【図７】従来のトラス筋の定着部（アンカー）の形状を示す図である。
【図８】従来のトラス筋の定着部（アンカー）の設置例を示す図である。
【図９】従来のトラス筋の他の定着部（アンカー）の設置例を示す図である。
【図１０】従来のＷ字形状のトラス筋の使用状態における概略図である。
【図１１】異形断面の棒材を説明する図である。
【符号の説明】
１０、１０ａ、１００      外装材支持用結合筋
１１、１１ａ〜１１ｅ      第１定着部
１２、１２ａ、１２ｂ      第２定着部
１３、１３ａ〜１３ｄ、８１      連接部
１４      建築物の躯体コンクリート板
１５      断熱材
１６      外装材
１８、８１      第１屈曲点
１９      補助アンカー筋
【図１】
2004211501.tif 000003
【図２】
2004211501.tif 000004
【図３】
2004211501.tif 000005
【図４】
2004211501.tif 000006
【図５】
2004211501.tif 000007
【図６】
2004211501.tif 000008
【図７】
2004211501.tif 000009
【図８】
2004211501.tif 000010
【図９】
2004211501.tif 000011
【図１０】
2004211501.tif 000012
【図１１】
2004211501.tif 000013